(57)【要約】【課題】印刷装置における印刷物の放置を抑止することが可能な印刷システム、印刷装置、制御方法、及びプログラムを提供することを目的とする【解決手段】クライアントから印刷データが複合機へ送信され、複合機に蓄積された印刷データに対して携帯端末から印刷指示がなされると、携帯から複合機に対してログイン状況を確認し、複合機に何れのユーザがログインしている場合は、携帯端末からの印刷指示を許可させずに、複合機からの印刷指示を受付ける。【選択図】図５
2018034417.tif 000002
【特許請求の範囲】
【請求項１】
情報処理装置と印刷装置とが通信可能に接続される印刷システムであって、
前記情報処理装置は、
前記印刷装置に対して印刷指示を行う際に、前記印刷装置へのログイン状況に関する情報を要求する確認要求手段と、
前記印刷装置の送信手段によって送信されるログイン状況に関する情報を受信する受信手段と、
前記受信手段によってログインがなされていない場合は、印刷指示を許可しない印刷指示手段と、
を備え、
前記印刷装置は、
前記確認要求手段の確認要求に応じてログイン状況に関する情報を取得する取得手段と、
前記取得手段によって取得したログイン状況に関する情報を前記情報処理装置へ送信する送信手段と、
を備えたことを特徴とする印刷システム。
【請求項２】
前記情報処理装置は、
印刷指示によって印刷を行った後、印刷にかかる操作の受付けを拒否する拒否手段と、
前記印刷装置の発行手段によって発行された解除情報を用いて、前記拒否手段による印刷操作の受付拒否を解除する解除手段と、
を備え、
前記印刷装置は、
前記拒否手段による拒否を解除するための解除情報を発行する発行手段を備えたことを特徴とする請求項１に記載の印刷システム。
【請求項３】
前記情報処理装置は、携帯端末であることを特徴とする請求項１または２に記載の印刷システム。
【請求項４】
情報処理装置と、前記情報処理装置の確認要求手段の確認要求に応じてログイン状況に関する情報を取得する取得手段と、前記取得手段によって取得したログイン状況に関する情報を前記情報処理装置へ送信する送信手段とを備えた印刷装置と、が通信可能に接続される印刷システムであって、
前記情報処理装置は、
前記印刷装置に対して印刷指示を行う際に、前記印刷装置へのログイン状況に関する情報を要求する確認要求手段と、
前記印刷装置の送信手段によって送信されるログイン状況に関する情報を受信する受信手段と、
前記受信手段によってログインがなされていない場合は、印刷指示を許可しない印刷指示手段と、
を備えたことを特徴とする情報処理装置。
【請求項５】
情報処理装置と印刷装置とが通信可能に接続される印刷システムの制御方法であって、
前記情報処理装置は、
前記印刷装置に対して印刷指示を行う際に、前記印刷装置へのログイン状況に関する情報を要求する確認要求ステップと、
前記印刷装置の送信ステップによって送信されるログイン状況に関する情報を受信する受信ステップと、
前記受信ステップによってログインがなされていない場合は、印刷指示を許可しない印刷指示ステップと、
を実行し、
前記印刷装置は、
前記確認要求ステップの確認要求に応じてログイン状況に関する情報を取得する取得ステップと、
前記取得ステップによって取得したログイン状況に関する情報を前記情報処理装置へ送信する送信ステップと、
を実行することを特徴とする印刷システムの制御方法。
【請求項６】
情報処理装置と印刷装置とが通信可能に接続される印刷システムで読み取り実行可能なプログラムであって、
前記情報処理装置を、
前記印刷装置に対して印刷指示を行う際に、前記印刷装置へのログイン状況に関する情報を要求する確認要求手段と、
前記印刷装置の送信手段によって送信されるログイン状況に関する情報を受信する受信手段と、
前記受信手段によってログインがなされていない場合は、印刷指示を許可しない印刷指示手段と、
し手機能させ、
前記印刷装置を、
前記確認要求手段の確認要求に応じてログイン状況に関する情報を取得する取得手段と、
前記取得手段によって取得したログイン状況に関する情報を前記情報処理装置へ送信する送信手段と、
して機能させることを特徴とするプログラム。
【請求項７】
情報処理装置と、前記情報処理装置の確認要求手段の確認要求に応じてログイン状況に関する情報を取得する取得ステップと、前記取得ステップによって取得したログイン状況に関する情報を前記情報処理装置へ送信する送信ステップとを実行する印刷装置と、が通信可能に接続される印刷システムの制御方法であって、
前記情報処理装置は、
前記印刷装置に対して印刷指示を行う際に、前記印刷装置へのログイン状況に関する情報を要求する確認要求手段と、
前記印刷装置の送信手段によって送信されるログイン状況に関する情報を受信する受信手段と、
前記受信手段によってログインがなされていない場合は、印刷指示を許可しない印刷指示手段と、
を実行することを特徴とする情報処理装置の制御方法。
【請求項８】
情報処理装置と、前記情報処理装置の確認要求手段の確認要求に応じてログイン状況に関する情報を取得する取得手段と、前記取得手段によって取得したログイン状況に関する情報を前記情報処理装置へ送信する送信手段とを備えた印刷装置と、が通信可能に接続される印刷システムで読み取り実行可能なプログラムであって、
前記情報処理装置を、
前記印刷装置に対して印刷指示を行う際に、前記印刷装置へのログイン状況に関する情報を要求する確認要求手段と、
前記印刷装置の送信手段によって送信されるログイン状況に関する情報を受信する受信手段と、
前記受信手段によってログインがなされていない場合は、印刷指示を許可しない印刷指示手段と、
して機能させることを特徴とするプログラム。
【発明の詳細な説明】
【技術分野】
【０００１】
本発明は、印刷装置と携帯端末と連携する印刷システムに関する技術であり、特に印刷物の放置を抑止する技術に関する。
【背景技術】
【０００２】
クライアント端末において印刷を所望するファイルを指定して印刷指示を行うことで印刷ジョブが生成され、この生成された印刷ジョブを印刷装置が受取ると、印刷出力を開始する。
【０００３】
しかしながら、ユーザは、印刷指示をした後、急な他作業を行ったことで、印刷物を取り忘れ、印刷物が放置されることが想定される。
【０００４】
そこで、印刷要求を行ったユーザが所有する携帯端末が、印刷装置の所定の範囲内に居する時に、印刷装置の排紙トレーに出力した用紙が残存するか否かを判定して、当該携帯端末へ通知する技術が存在する（例えば、特許文献１参照）。
【先行技術文献】
【特許文献】
【０００５】
【特許文献１】特開２００８−１７７６６５号公報
【発明の概要】
【発明が解決しようとする課題】
【０００６】
しかしながら、特許文献１に記載の技術では、排紙トレーに出力した用紙が残存するか否かを携帯端末に通知することに留まっており、通知を受けたことに気づかずに、印刷物が放置されるようなことも想定される。
【０００７】
そこで、本発明では、印刷装置における印刷物の放置を抑止することが可能な印刷システム、情報処理装置、制御方法、及びプログラムを提供することを目的とする。
【課題を解決するための手段】
【０００８】
上記目的を達成するための発明は、情報処理装置と印刷装置とが通信可能に接続される印刷システムであって、前記情報処理装置は、前記印刷装置に対して印刷指示を行う際に、前記印刷装置へのログイン状況に関する情報を要求する確認要求手段と、前記印刷装置の送信手段によって送信されるログイン状況に関する情報を受信する受信手段と、前記受信手段によってログインがなされていない場合は、印刷指示を許可しない印刷指示手段と、を備え、前記印刷装置は、前記確認要求手段の確認要求に応じてログイン状況に関する情報を取得する取得手段と、前記取得手段によって取得したログイン状況に関する情報を前記情報処理装置へ送信する送信手段と、を備えたことを特徴とする。
【発明の効果】
【０００９】
本発明によれば、印刷装置における印刷物の放置を抑止することができる、という効果を奏する。
【図面の簡単な説明】
【００１０】
【図１】印刷システムの構成を示す構成図である。
【図２】携帯端末とクライアントに適用可能な情報処理装置のハードウェア構成を示す構成図である。
【図３】複合機のコントローラユニットのハードウェア構成の一例を示す構成図である。
【図４】携帯端末、クライアント、及び複合機の機能を示すブロック図である。
【図５】印刷処理を示すフローチャートである。
【図６】印刷処理を示すフローチャートである。
【図７】ユーザテーブルの構成を示す構成図である。
【図８】印刷データテーブルの構成を示す構成図である。
【図９】印刷データ内容通知画面の構成を示す構成図である。
【図１０】ログインユーザ不在通知画面の構成を示す構成図である。
【図１１】ロック画面の構成を示す構成図である。
【図１２】ロック解除キー入力画面の構成を示す構成図である。
【図１３】ロック解除キー表示画面の構成を示す構成図である。
【発明を実施するための形態】
【００１１】
以下、図面を参照して、本発明の実施形態を詳細に説明する。
【００１２】
図１は、本発明の実施形態にかかる印刷システムの構成の一例を示すシステム構成図である。
【００１３】
図１は、１又は複数の印刷装置の機能を備えた複合機１０１、1又は複数の携帯端末１０２、および１又は複数のクライアント１０３がローカルエリアネットワーク（ＬＡＮ）１０４を介して接続される構成となっている。また、複合機１０１と携帯端末１０２は直接無線通信できる構成とする。
【００１４】
以下、図２を用いて、図１に示した携帯端末１０２、クライアント１０３に適用可能な情報処理装置のハードウェア構成について説明する。
【００１５】
図２は、図１に示した携帯端末１０２、クライアント１０３に適用可能な情報処理装置のハードウェア構成を示すブロック図である。
【００１６】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１７】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１８】
また、２０５は入力コントローラで、キーボード（ＫＢ）２０９や不図示のマウス等のポインティングデバイス等からの入力を制御する。２０６はビデオコントローラで、ディスプレイ２１０等の表示器への表示を制御する。
【００１９】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２０】
２０８は通信Ｉ／Ｆコントローラで、ネットワーク（例えば、図１に示したＬＡＮ１０４）を介して外部機器と接続・通信するものであり、ネットワークでの通信制御処理を実行する。例えば、ＴＣＰ／ＩＰを用いた通信等が可能である。
【００２１】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２２】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２３】
次に、図３を用いて、本発明の複合機１０１を制御するコントローラユニットのハードウェア構成について説明する。
【００２４】
図３は、図１に示した複合機１０１のコントローラユニットのハードウェア構成の一例を示すブロック図である。
【００２５】
図３において、３１６はコントローラユニットで、画像入力デバイスとして機能するスキャナ３１４や、画像出力デバイスとして機能するプリンタ３１２と接続する一方、ＬＡＮ（例えば、図１に示したＬＡＮ１０４）や公衆回線（ＷＡＮ）（例えば、ＰＳＴＮまたはＩＳＤＮ等）と接続することで、画像データやデバイス情報の入出力を行う。
【００２６】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００２７】
３０３はＲＯＭで、システムのブートプログラムや各種制御プログラムが格納されている。３０４は外部記憶装置（ハードディスクドライブ（ＨＤＤ））で、システムを制御するための各種プログラム，画像データ等を格納する。
【００２８】
３０７は操作部インタフェース（操作部Ｉ／Ｆ）で、操作部（ＵＩ）３０８とのインタフェース部であり、操作部３０８に表示する画像データを操作部３０８に対して出力する。また、操作部Ｉ／Ｆ３０７は、操作部３０８から本システム使用者が入力した情報（例えば、ユーザ情報等）をＣＰＵ３０１に伝える役割をする。なお、操作部３０８はタッチパネルを有する表示部を備え、該表示部に表示されたボタンを、ユーザが押下（指等でタッチ）することにより、各種指示を行うことができる。
【００２９】
３０５はネットワークインタフェース（Ｎｅｔｗｏｒｋ  Ｉ／Ｆ）で、ネットワーク（ＬＡＮ）に接続し、データの入出力を行う。３０６はモデム（ＭＯＤＥＭ）で、公衆回線に接続し、ＦＡＸの送受信等のデータの入出力を行う。
【００３０】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となるＩＣカードの読み取り用のカードリーダ３１９が外部Ｉ／Ｆ部３１８に接続されている。
【００３１】
そして、ＣＰＵ３０１は、この外部Ｉ／Ｆ３１８を介してカードリーダ３１９によるＩＣカードからの情報読み取りを制御し、該ＩＣカードから読み取られた情報を取得可能である。
【００３２】
尚、ＩＣカードに限らず、ユーザを特定することが可能な記憶媒体であればよい。この場合、記憶媒体にはユーザを識別するための識別情報が記憶される。この識別情報は、記憶媒体の製造番号でも、ユーザが企業内で与えられるユーザコードであってもよい。
以上のデバイスがシステムバス３０９上に配置される。
【００３３】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００３４】
画像バス３１５は、ＰＣＩバスまたはＩＥＥＥ１３９４で構成される。画像バス３１５上には以下のデバイスが配置される。
【００３５】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００３６】
３１７は画像処理部で、入力画像データに対して補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００３７】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００３８】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００３９】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４０】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００４１】
カードリーダ３１９は、ＣＰＵ３０１からの制御により、ＩＣカード（例えば、ソニー社のフェリカ（ＦｅｌｉＣａ）（登録商標））内に記憶されている情報を読み取り、該読み取った情報を外部Ｉ／Ｆ３１８を介してＣＰＵ３０１へ通知する。
【００４２】
次に、図４を用いて、本発明の情報処理装置としての複合機１０１、携帯端末１０２、クライアント１０３が備えた機能に関するブロック図について説明する。尚、各機能ブロックが処理する詳細な制御については、後述するフローチャートにて説明する。
【００４３】
複合機１０１は、印刷データ管理部４０１、ユーザ管理部４０２、送受信部４０３、画面表示部４０４、及びロック管理部４０５を備えている。
【００４４】
印刷データ管理部４０１は、印刷データテーブル８００（図８参照、詳細後述）を用いて、クライアント１０３から送信された印刷データを管理するとともに、印刷データの印刷処理を行う。
【００４５】
ユーザ管理部４０２は、ユーザテーブル７００（図７参照、詳細後述）を用いて、複合機１０１を利用するユーザを管理する。
【００４６】
送受信部４０３は、ネットワークインタフェース３０５を介して、携帯端末１０２やクライアント１０３と通信を行う。
【００４７】
画面表示部４０４は、操作部インタフェース３０７を介して、画面表示を制御し、ロック管理部４０５は、印刷データテーブル８００を用いて、ロック解除キーを管理する。
【００４８】
携帯端末１０２は、複合機検知部４１１、送受信部４１２、画面表示部４１３、及びロック管理部４１４を備えている。
【００４９】
複合機検知部４１１は、無線通信可能な複合機を検知し、送受信部４１２は、通信インタフェースコントローラ２０８を介して、複合機１０１と通信を行う。
【００５０】
画面表示部４１３は、ビデオコントローラ２０６を介して、画面表示を制御し、ロック管理部４１４は、画面のロック・ロック解除キーによりロック解除を制御する。
【００５１】
クライアントは、送受信部４２１、及び画面表示部４２２を備えており、送受信部４２１は、通信インタフェースコントローラ２０８を介して、複合機１０１と通信を行う、画面表示部４２２は、ビデオコントローラ２０６を介して、画面表示を制御する。
【００５２】
以下、図５及び図６に示すフローチャートを用いて、本実施形態における印刷処理の流れを説明する。
【００５３】
ステップＳ５０１では、画面表示部４２２は、クライアント１０３へログインしたユーザのユーザＩＤを取得し、印刷対象となるファイルの選定を受付けた後、複合機１０１に対して印刷設定の指定を受付けると、印刷データが生成される。
【００５４】
尚、本実施形態では、セキュアプリント、つまり、クライアントから印刷ジョブが複合機へ送信されると、複合機では、当該印刷ジョブを即時に印刷処理するのではなく、印刷ジョブを留め置いておき、ユーザが複合機に対して印刷指示を行うと、当該印刷ジョブの印刷が行われる印刷方法が印刷システム１００において設定されている。
【００５５】
ステップＳ５０２では、送受信部４２１は、複合機１０１に対して、ステップＳ５０１における印刷データ、ユーザＩＤ、及び印刷設定が送信される。
【００５６】
ステップＳ５０３では、送受信部４１２は、クライアント１０３から送信された印刷データ、ユーザＩＤ、及び印刷設定を受信する。
【００５７】
ステップＳ５０４では、送受信部４１２は、ステップ５０３において受信したデータをＨＤＤ３０４および印刷データテーブル８００に記憶する。
【００５８】
図８には、印刷データテーブル８００の構成が示されており、印刷データテーブル８００は、ユーザＩＤ８０１、ドキュメント名８０２、印刷データ受付日時８０３、印刷データＩＤ８０４、ステータス８０５、ロック解除キー８０６等の情報から構成される。
【００５９】
ユーザＩＤ８０１は、ユーザを特定するためのＩＤであり、ドキュメント名８０２は、クライアント１０３でセキュアプリント時に指定するファイルを特定する名称またはファイル名である。
【００６０】
印刷データ受付日時８０３は、クライアント１０３から印刷データを受信した日時であり、印刷データＩＤ８０４は、複合機１０１で印刷データを特定するためのＩＤである。
【００６１】
ステータス８０５は、印刷状況（未印刷／印刷中／印刷完了）であり、ロック解除キー８０６は、携帯端末１０２の画面がロックされた状態を解除する際に必要となるＩＤである。
【００６２】
ステップＳ５０５では、複合機検知部４１１は、複合機１０１を検知すると、ステップＳ５０６では、送受信部４１２は、複合機１０１へ印刷データの確認依頼を送信する。その際、事前に携帯端末１０２に設定済みのユーザＩＤも合わせて送信される。
【００６３】
ステップＳ５０７では、送受信部４０３は、複合機１０１が携帯端末１０２からの印刷データの確認依頼とユーザＩＤを受信すると、ステップＳ５０８では、印刷データ管理部４０１は、印刷データテーブル８００を参照して、ステップＳ５０７において受信したユーザＩＤの未印刷のジョブが存在するかを確認する。
【００６４】
ステップＳ５０９では、送受信部４０３は、携帯端末１０２へ印刷データの確認結果を送信する。
【００６５】
ステップＳ５１０では、送受信部４１２は、複合機１０１からの印刷データ確認結果（１つまたは複数のドキュメント名、印刷データ受付日時、印刷データＩＤ）を受信すると、
【００６６】
ステップＳ５１１では、送受信部４１２は、印刷データが存在するかを判断し、存在しない場合には処理が終了し、存在する場合には、以下の処理が継続する。
【００６７】
ステップＳ５１２では、画面表示部４１３は、印刷データ内容通知画面９００（図９参照）にて印刷可能な印刷ジョブの一覧が表示される。
【００６８】
図９に示す印刷データ内容通知画面９００は、印刷ジョブの一覧が表示され、印刷を行う印刷ジョブに対してチェックを行う印刷チェック９０１、印刷ジョブのドキュメント名９０２、印刷データ受付日時９０３、印刷を行わない際に押下するためのボタンを示すキャンセル９０４、及び印刷する際に押下するためのボタンを示す印刷９０５を備えている。
【００６９】
ユーザは、印刷を行いたい印刷ジョブに指等で触れると、印刷チェック９０１にチェックがなされたことが示され、印刷９０５を押下すると、印刷チェック９０１にチェックがなされた印刷ジョブの印刷指示が複合機１０１に対してなされる。
【００７０】
ステップＳ５１３では、画面表示部４１３は、印刷データ内容通知画面９００の印刷チェック９０１が１つ以上選択された状態で、印刷９０５が押下されたことを検知すると、ステップＳ５１４では、送受信部４１２は、複合機１０１へログインユーザの確認依頼が送信される。
【００７１】
ステップＳ５１５では、送受信部４０３は、携帯端末１０２からのログインユーザの確認依頼を受信すると、ステップＳ５１６では、ユーザテーブル７００（図７参照）を参照して、ログインユーザが存在するかを確認する。
【００７２】
図７に示すユーザテーブル７００の構成が示されており、ユーザテーブル７００は、ユーザＩＤ７０１、パスワード７０２、カードＩＤ７０３、及びステータス７０４等の情報から構成される。
【００７３】
ユーザＩＤ７０１は、ユーザを特定するためのＩＤであり、パスワード７０２は、パスワード認証の際に使用するパスワードを示し、カードＩＤ７０３はＩＣカード認証の際に使用されるＩＣカードを特定するＩＤを示し、ステータス７０４は、複合機１０１における各ユーザのログインの状態を示す。
【００７４】
ステップＳ５１７では、送受信部４０３は、携帯端末１０２へログインユーザの確認結果を送信する。
【００７５】
ステップＳ５１８では、送受信部４１２は、複合機１０１からのログインユーザの確認結果を受信すると、ステップＳ５１９では、ロック管理部４１４は、ログインユーザが存在するかを判断し、存在しないと判断した場合には、ステップＳ５２１では、画面表示部４１３は、ログインユーザ不在通知画面１０００（図１０参照）を表示して処理が終了し、存在する場合には、以下の処理が継続する。
【００７６】
図１０には、ログインユーザ不在通知画面１０００の構成が示されており、ログインユーザ不在通知画面１０００には、印刷を行おうとしている印刷装置には、ログインしているユーザが存在しないため、携帯端末１０２から印刷指示を行うことができない旨を示すメッセージが表示され、ユーザがＯＫ１００１を押下するとログインユーザ不在通知画面１０００が閉じる。
【００７７】
ステップＳ５２０では、送受信部４１２は、複合機１０１へ印刷データの出力指示、ユーザＩＤ、及び印刷データＩＤを送信する。
【００７８】
ステップＳ５２１では、送受信部４０３は、携帯端末１０２からの印刷データの出力指示、ユーザＩＤ、及び印刷データＩＤを受信すると、ステップＳ５２２では、印刷データ管理部４０１は、指定された印刷データを出力する。
【００７９】
ステップＳ６０１では、ロック管理部４１４は、印刷データの出力指示を送信した後にロック画面１１００（図１１参照）を表示して、画面を利用できないようにロックする。
【００８０】
図１１には、ロック画面１１００の構成が示されており、ロック画面１１００を表示することで、携帯端末１０２の画面を利用できないようにロックをかけ、ロックを解除するためのキーを入力しなければ、このロックを解除することができない旨を表示する。
【００８１】
ユーザは、このキーを入力する際には、ロック解除キー入力１１０１を押下することで、キーの入力を行うことが可能となる。
【００８２】
ステップＳ６０２では、印刷データ管理部４０１は、ステップＳ５２２における印刷データの出力が完了したことを検知すると、ステップＳ６０３では、ロック管理部４０５は、印刷データに対応したロックを解除するためのキーを生成して、印刷データテーブル８００のロック解除キー８０６に保存する。
【００８３】
ステップ６０４では、ユーザ管理部４０２は、ユーザがＩＣカードまたはパスワード入力によって複合機１０１にログインすると、ユーザテーブル７００が参照・更新される。
【００８４】
ステップ６０５では、画面表示部４０４は、ユーザが印刷履歴からステップＳ５１３において選択された印刷データを指定すると、ロック解除キー表示画面１３００（図１３参照）が表示され、ロック解除キーを確認することができる。
【００８５】
図１３には、ロック解除キー表示画面１３００の構成が示されており、ロック解除キー表示画面１３００には、印刷を行った印刷ジョブに関する情報とロック解除キーが表示され、ＯＫ１３０１を押下するとロック解除キー表示画面１３００が閉じる。
【００８６】
ステップＳ６０６では、ユーザ管理部４０２は、ユーザを複合機１０１からログアウトさせ、ステップＳ６０７では、画面表示部４１３は、ステップＳ６０１で表示されたロック画面１１００のロック解除キー入力１１０１が押下されたことを検知すると、ロック解除キー入力画面１２００（図１２参照）を表示する。
【００８７】
図１２には、ロック解除キー入力画面１２００の構成が示されており、ロック解除キー入力画面１２００は、ロック解除キーを入力するためのロック解除キー入力欄１２０１を備えており、ユーザは、ロック解除キー入力欄１２０１にロック解除キーを入力した後、ＯＫ１２０２を押下すると、画面のロックの解除する処理を行う。
【００８８】
本ステップでは、ロック解除キー入力欄１２０１に対して、ロック解除キーが入力されＯＫ１２０２が押下されたこと検知すると、ステップＳ６０８では、送受信部４１２は、複合機１０１へロック解除キー、ユーザＩＤ、及び印刷データＩＤを送信する。
【００８９】
ステップＳ６０９では、送受信部４０３は、携帯端末１０２からロック解除キー、ユーザＩＤ、及び印刷データＩＤを受信すると、ステップ６１０では、ロック管理部４０５は、ステップＳ６０９において受信したロック解除キー、ユーザＩＤ、及び印刷データＩＤに基づいて、印刷データテーブル８００を参照して、ロック解除してもいいかを確認する。
【００９０】
つまり、ロック解除キー、ユーザＩＤ、及び印刷データＩＤが、印刷データテーブル８００のロック解除キー８０６、ユーザＩＤ８０１、及び印刷データＩＤ８０４に存在すれば、ロック解除して良いことになる。
【００９１】
ステップＳ６１１では、送受信部４０３は、携帯端末１０２へステップＳ６１０において確認したロック解除確認結果を送信する。
【００９２】
ステップＳ６１２では、送受信部４１２は、複合機１０１から受信したロック解除確認結果を受信すると、ステップＳ６１３では、ロック管理部４１４は、ロック解除確認結果を確認して、ロック解除して良い場合には、ステップＳ６１４では、画面表示部４１３は、携帯端末の画面のロックが解除されて処理が終了し、ロック解除して良くない場合には、画面はロックされたままとなる。
【００９３】
以上、本発明によれば、印刷装置における印刷物の放置を抑止することができる。
【００９４】
なお、上述した各種データの構成及びその内容はこれに限定されるものではなく、用途や目的に応じて、様々な構成や内容で構成されることは言うまでもない。
【００９５】
以上、一実施形態について示したが、本発明は、例えば、方法、プログラムもしくは記録媒体等としての実施態様をとることが可能である。
【００９６】
また、本発明におけるプログラムは、図５及び図６に示すフローチャートの処理方法をコンピュータが実行可能なプログラムである。
【００９７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９８】
この場合、記録媒体から読み出されたプログラム自体が本発明の新規な機能を実現することになり、そのプログラムを記憶した記録媒体は本発明を構成することになる。
【００９９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１００】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０２】
また、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０３】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１０４】
なお、上述した各実施形態およびその変形例を組み合わせた構成も全て本発明に含まれ
るものである。
【符号の説明】
【０１０５】
１００  印刷システム
１０１  複合機
１０２  携帯端末
１０３  クライアント
１０４  ＬＡＮ 
【図１】
2018034417.tif 000003
【図２】
2018034417.tif 000004
【図３】
2018034417.tif 000005
【図４】
2018034417.tif 000006
【図５】
2018034417.tif 000007
【図６】
2018034417.tif 000008
【図７】
2018034417.tif 000009
【図８】
2018034417.tif 000010
【図９】
2018034417.tif 000011
【図１０】
2018034417.tif 000012
【図１１】
2018034417.tif 000013
【図１２】
2018034417.tif 000014
【図１３】
2018034417.tif 000015